(57)【要約】本発明は、ウォークマン、特にＵＳＢ接続線及びオーディオ・イアフォン線のコリニア伝送を実行することができるネットワーク・ウォークマンに関連する。スイッチ集積回路が、ＵＳＢ接続線及びオーディオ・イアフォン線のコリニア伝送の機能を実現するように、ＵＳＢインタフェースとオーディオ出力インタフェースとの間の自動切替えを実行する従来回路に追加されるという点で、主として特徴付けられる。従来技術を基盤として、前記２つのインタフェースが単一のインタフェースに簡素化され、そのことが、より望ましい概観を得ることもその価格を下げることも可能にする。従って、この発明は、利用者にとって便利であり、また好適な機能を持つ。
2006519522.tif 000002
【特許請求の範囲】
【請求項１】
中央処理装置、ユニバーサル・シリアル・バス（つまり、ＵＳＢ）、読出し専用メモリ、フラッシュ・メモリ、液晶表示駆動回路、オーディオ信号増幅回路などを含み、オーディオ出力線が該オーディオ信号増幅回路から引き出されるネットワーク・ウォークマンであって、
このネットワーク・ウォークマンは、更にスイッチ集積回路を備え、これは、該ＵＳＢ及び該オーディオ出力線にそれぞれ接続され、またその出力端子にＵＳＢ／オーディオ出力インタフェースを具備され、
前記インタフェースは、それがコンピュータのＵＳＢインタフェースに接続されるときにはＵＳＢインタフェースであり、また前記インタフェースは、それがオーディオ・イアフォン線に接続されるときにはオーディオ出力インタフェースである
ことを特徴とするネットワーク・ウォークマン。
【請求項２】
前記スイッチ集積回路は、Ｇ６ｋ−２Ｇ−Ｙ型のリレー集積回路を用いることを特徴とする請求項１記載のネットワーク・ウォークマン。
【請求項３】
前記ＵＳＢの１つの線は、直接に出力インタフェース線としての役目を果たし、また抵抗を経由してＧ６ｋ−２Ｇ−Ｙのピン１に接続され；そこの別の線は、ダイオードを経由してＧ６ｋ−２Ｇ−Ｙの該ピン１に接続され、ここにおいて、該ダイオードの正端子が該線に接続され、該ダイオードの負端子がＧ６ｋ−２Ｇ−Ｙの該ピン１に接続され、そして該ダイオードの該正端子はまたＧ６ｋ−２Ｇ−Ｙのピン８に接続され；前記ＵＳＢのその他の２つの線は、Ｇ６ｋ−２Ｇ−Ｙのピン４及びピン５にそれぞれ接続され；
前記オーディオ出力線の１つの線は、直接に出力インタフェース線としての役目を果たし、また前記ダイオードの該正端子を接続するノードに接続され；そこのその他の２つの線は、Ｇ６ｋ−２Ｇ−Ｙのピン２及びピン７にそれぞれ接続され；Ｇ６ｋ−２Ｇ−Ｙのピン３及びピン６の引出し電線が、その他の２つの出力インタフェース線である
ことを特徴とする請求項１又は２記載のネットワーク・ウォークマン。
【発明の詳細な説明】
【技術分野】
【０００１】
本発明は、網通信ツール、特に、ＵＳＢ接続線及びオーディオ・イヤフォン線のコリニア（共線的、同一線（ライン））伝送を実行することができるネットワーク・ウォークマンに関するものである。
【背景技術】
【０００２】
現在の市販におけるＭＰ３プレーヤなどのネットワーク・ウォークマンにおけるオーディオ出力インタフェース及びＵＳＢインタフェースが、たいてい２つの独立したインタフェースとして設計されるという事実のために、これらのネットワーク・ウォークマンは、（例えばＭＰ３プレーヤをとれば）次の不都合を有する：
・コンピュータと接続するための不便さ。２つのタイプの設計が、ＭＰ３プレーヤのＵＳＢインタフェースに一般に利用される。１つ目のタイプの設計は、ＵＳＢインタフェースをプレーヤのボディに直接備えることであり、ここにおいて、そのＵＳＢインタフェースは、音楽をダウンロードするためにコンピュータと接続される以外のときには、入力の汚れを妨げるために、適合した蓋によって閉塞されなければならない。それゆえに、その見た目の美しさに関してＭＰ３プレーヤの外観に影響を与えることは避けられない。更に、それが一定の容積そのものを持つので、コンピュータのＵＳＢインタフェースと直接接続されるときには、プレーヤが電源線、マウス線、サウンド・ボックス線などの複数の他の線と混在ないし絡まされるのは避けられない。従って、それは、利用者にとって、はなはだ不便である。その他のタイプの設計は、プレーヤのボディのイヤフォン・ジャックと同様である最小化されたＵＳＢインタフェースを備えることである。しかしながら、そのようなＵＳＢインタフェースにとって、インタフェース・スイッチ線（これもまた面倒である）を経由してコンピュータのＵＳＢインタフェースに接続されることが必要である。
・２種類のインタフェースを使うために必然的に無駄。従来のＭＰ３プレーヤには、ＵＳＢ接続インタフェース及びオーディオ出力インタフェースが具備されなければならず、そのことが、明らかに資源の浪費の原因となり、また製造費を押し上げる。更に、製品の競争力が、主として価格競争に特徴付けられる市場において間違いなく弱くなる。
・携帯するための不便さ。ＭＰ３プレーヤの利用者は、そのような製品を使用するいずれのときにも、ＵＳＢ接続線及びオーディオ出力線を携帯しなければならず、そのことが、避けられない不便さの原因となる。
【発明の開示】
【０００３】
本発明の目的は、上記不都合を克服し、そしてＵＳＢ接続線及びオーディオ・イヤフォン線のコリニア伝送を実行することができるネットワーク・ウォークマンを、そのネットワーク・ウォークマンの使用を容易にし、またその価格を下げるように提供することにある。この発明の技術的解決は、ネットワーク・ウォークマンを提供することであり、それは、中央処理装置、ユニバーサル・シリアル・バス（つまり、ＵＳＢ）、読出し専用メモリ（ＲＯＭ）、フラッシュ・メモリ、液晶表示（ＬＣＤ）駆動回路、及びオーディオ信号増幅回路などを含み、ここにおいて、オーディオ出力線が、オーディオ信号増幅回路から引き出される。この発明の構造の特徴は、スイッチ集積回路を更に備えることであり、それは、ＵＳＢ及びオーディオ出力線にそれぞれ接続され、またＵＳＢ／オーディオ出力インタフェースをその出力端子に具備される。
【０００４】
前記インタフェースは、それがコンピュータのＵＳＢインタフェースに接続されるときにはＵＳＢインタフェースであり、また、前記インタフェースは、それがオーディオ・イヤフォン線に接続されるときにはオーディオ出力インタフェースである。
【０００５】
前記スイッチ集積回路は、Ｇ６ｋ−２Ｇ−Ｙ型のリレー集積回路を使う。
【０００６】
前記ＵＳＢの１つの線は、直接に出力インタフェース線としての役目を果たし、また抵抗を経由してＧ６ｋ−２Ｇ−Ｙのピン１に接続され；そこの別の線は、ダイオードを経由してＧ６ｋ−２Ｇ−Ｙのピン１に接続され、ここにおいて、ダイオードの正端子はその線に接続され、ダイオードの負端子はＧ６ｋ−２Ｇ−Ｙのピン１に接続され、そしてダイオードの正端子はまたＧ６ｋ−２Ｇ−Ｙのピン８に接続され；その他の２つの線はＧ６ｋ−２Ｇ−Ｙのピン４及びピン５にそれぞれ接続される。
【０００７】
前記オーディオ出力線の１つの線は、直接に出力インタフェース線としての役目を果たし、また前記ダイオードの正端子を接続するノードに接続され；そこのその他の２つの線は、Ｇ６ｋ−２Ｇ−Ｙのピン２及びピン７にそれぞれ接続される。Ｇ６ｋ−２Ｇ−Ｙのピン３及びピン６の引出し電線が、その他の２つの出力インタフェース線である。
【０００８】
この発明において、スイッチ集積回路は、ＵＳＢ接続線及びオーディオ・イヤフォン線のコリニア伝送の機能を実現するように、ＵＳＢインタフェースとオーディオ出力インタフェースとの間の自動切替えを行う従来回路に追加される。従来技術を基盤として、前記２つのインタフェースが単一のインタフェースとして簡素化され、そのことが、より望ましい外観を得ることもその価格を下げることも可能にする。従って、この発明は、利用者にとって便利であり、また好適な機能を持つ。
【０００９】
これから、この発明が、添付図面を用いて更に記述される。
【発明を実施するための最良の形態】
【００１０】
図１を参照すると、この発明は、中央処理装置（ＣＰＵ）、ユニバーサル・シリアル・バス（つまり、ＵＳＢ）、読出し専用メモリ（ＲＯＭ）、フラッシュ・メモリ、マルチメディア・メモリ（ＭＭＣ）、液晶表示駆動回路（ＬＣＤドライバ）及びオーディオ信号増幅回路（アンプ）を備え、ここにおいて、オーディオ出力線がオーディオ信号増幅回路から引き出される。それは更にスイッチ集積回路を備え、これは、ＵＳＢ及びオーディオ出力線を入力線として使用し、そしてその出力端子にＵＳＢ／オーディオ出力インタフェースを具備される。前記インタフェースは、それがコンピュータのＵＳＢインタフェースに接続されるときにはＵＳＢインタフェースであり、また前記インタフェースは、それがオーディオ・イヤフォン線に接続されるときにはオーディオ出力インタフェースであるように自動的に切替え可能である。即ち、それは、利用者にインタフェースを手動で切り替えるように要求することなく、２種類のインタフェース間での自動切替えを実現することができる。
【００１１】
図２を参照すると、それはスイッチ集積回路の回路接続図を示す。前記スイッチ集積回路は、Ｇ６ｋ−２Ｇ−Ｙ型のリレー集積回路を使い、ここにおいて、Ｇ６ｋ−２Ｇ−Ｙのピン１は電源の正端子であり、ピン２は常閉コンタクト端子であり、ピン３は信号出力端子であり、ピン４は常開コンタクト端子であり、ピン５は常開コンタクト端子であり、ピン６は信号出力端子であり、ピン７は常閉コンタクト端子であり、そしてピン８は電源の負端子である。ＵＳＢ及びオーディオ出力線との接続は、次の通りである：ＵＳＢについては、前記ＵＳＢの１つの線は、直接に出力インタフェース線としての役目を果たし、また抵抗を経由してＧ６ｋ−２Ｇ−Ｙのピン１に接続され；そこの別の線は、ダイオードを経由してＧ６ｋ−２Ｇ−Ｙのピン１に接続され、ここにおいて、そのダイオードの正端子がそのラインに接続され、そのダイオードの負端子がＧ６ｋ−２Ｇ−Ｙのピン１に接続され、そしてそのダイオードの正端子はまたＧ６ｋ−２Ｇ−Ｙのピン８に接続され；前記ＵＳＢの他の２つの線は、Ｇ６ｋ−２Ｇ−Ｙのピン４及びピン５にそれぞれ接続される；オーディオ出力線については、前記オーディオ出力線の１つの線は、直接に出力インタフェース線としての役目を果たし、また前記ダイオードの正端子を接続するノードに接続され；そのオーディオ出力線のその他の２つの線は、Ｇ６ｋ−２Ｇ−Ｙのピン２及びピン７にそれぞれ接続され；Ｇ６ｋ−２Ｇ−Ｙのピン３及びピン６の引出し電線は、その他の２つの出力インタフェース線である。
【００１２】
この発明がコンピュータのＵＳＢインタフェースに接続されるときには、電力がコンピュータのＵＳＢインタフェースによってＧ６ｋ−２Ｇ−Ｙのピン１に供給され、それが電流を内部に流させ、そしてここにおいて、それはリレーの常閉コンタクトが動いたときに遮断され、またそれは常開コンタクトが動いたときに閉じる。結果、Ｇ６ｋ−２Ｇ−Ｙのピン４及びピン３が接続しそして互いに通信し；ピン５及びピン６が接続しそして互いに通信する。出力端子での出力インタフェース線が実際にこの発明のＵＳＢと一致することが理解され得る。この場合、前記インタフェースは、ＵＳＢインタフェースであり、ＵＳＢインタフェースとコンピュータとの間のデータ伝送が実現可能である。
【００１３】
この発明がオーディオ・イアフォン線に接続されるときには、Ｇ６ｋ−２Ｇ−Ｙのピン１に供給される電力はない。それゆえに、その回路には電流がなく、またリレーが常状態のままであり、従って、Ｇ６ｋ−２Ｇ−Ｙのピン２及びピン３が接続しそして互いに通信し、またピン７及びピン６が接続しそして互いに通信する。出力端子での出力インタフェース線は、実際にこの発明のオーディオ出力線と一致する。この場合、前記インタフェースは、オーディオ信号の出力を実現し、そしてオーディオ・イアフォンを介して利用者に音楽を聴かせることができるオーディオ出力インタフェースである。
【００１４】
この発明は、単一のリレー集積回路のみを使用し、それが、ＵＳＢ信号及びオーディオ信号の統合及び分離を果たすために、スイッチ装置としての役目を果たす。信号入力及び出力（つまり、受信及び再生）の２つの機能は、プレーヤそのもののボディに設けられる単一のインタフェースによって実現可能である。従って、プレーヤは、独特の応用可能な機能を持つ。
【００１５】
この出願の特徴が、この発明における１つの実施例によって説明されるのみとはいえ、しかし、この発明は、回路に関してこの実施例に限定されない。また、この発明と同じ発明概念などに属する修正は、全てこの発明の保護範囲に含まれる。
【産業上の利用可能性】
【００１６】
この発明は、携帯用網通信ツールとして使用され、これは、コンピュータのＵＳＢインタフェースとの接続を経由してデータ伝送を行うこともでき、オーディオ・イアフォンを介して音楽を聴くために自動切替えも行うことができる。このネットワーク・ウォークマンにおいて、スイッチ集積回路が、ＵＳＢ接続線及びオーディオ・イアフォン線のコリニア伝送の機能を実現するように、ＵＳＢインタフェースとオーディオ出力インタフェースとの間の自動切替えを行うための従来回路に追加される。従来ボディにおける前記２つのインタフェースは、単一のインタフェースとして簡素化され、そのことが、より望ましい外観を得ることも、また価格を下げることも可能にする。従って、この発明は、利用者にとって便利であり、またすぐれた利用可能性を持つ。
【図面の簡単な説明】
【００１７】
【図１】この発明のブロック図である。
【図２】この発明の回路接続図である。
【００１８】
上図において、ＵＳＢはユニバーサル・シリアル・バスをいい、オーディオ・アウトはオーディオ出力線をいい、ＭＩＣはマイクロフォンをいい、ＬＩＮＥはオーディオ線をいい、KEYBOARDはキーボードをいい、そしてＬＣＤは液晶表示をいう。
【図１】
2006519522.tif 000003
【図２】
2006519522.tif 000004
【国際調査報告】
2006519522.tif 000005
2006519522.tif 000006
2006519522.tif 000007
2006519522.tif 000008